(57)【要約】【課題】安否確認の対象者が利用する設備の利用状態が変化していない場合でも、設備の利用状態を示す情報である状態情報を取得することができる。【解決手段】監視サーバ２０のネットワークインターフェースは、ドア５−１〜５−３の状態情報の取得を指示する取得指示メッセージを定期的に監視用端末１０に送信し、監視用端末１０から送信される状態情報を受信する。監視用端末１０の無線ＬＡＮインターフェースは、監視サーバ２０から送信される取得指示メッセージを受信する。監視用端末１０のドア開閉センサ１０１−１〜１０１−３は、無線ＬＡＮインターフェースが取得指示メッセージを受信するとドア５−１〜５−３の状態情報を取得する。監視用端末１０の無線ＬＡＮインターフェースは、ドア開閉センサ１０１−１〜１０１−３が取得した状態情報を監視サーバ２０に送信する。【選択図】図１
2011014096.tif 000002
【特許請求の範囲】
【請求項１】
安否確認の対象者が利用する設備の利用状態を示す情報である状態情報を取得する監視用端末と、前記監視用端末が取得した状態情報を管理する監視サーバとを備えた安否確認システムであって、
前記監視サーバは、
前記状態情報の取得を指示する取得指示メッセージを定期的に前記監視用端末に送信するサーバ送信部と、
前記監視用端末から送信される前記状態情報を受信するサーバ受信部と、
を備え、
前記監視用端末は、
前記監視サーバから送信される前記取得指示メッセージを受信する端末受信部と、
前記端末受信部が前記取得指示メッセージを受信すると前記状態情報を取得するセンサ部と、
前記センサ部が取得した前記状態情報を前記監視サーバに送信する端末送信部と、
を備えたことを特徴とする安否確認システム。
【請求項２】
前記監視サーバは、
前記状態情報に基づいて、前記状態情報が一定期間変化していないと判定した際に、予め定められた連絡先にメッセージを送信するメッセージ送信制御部
を備えたことを特徴とする請求項１に記載の安否確認システム。
【請求項３】
前記監視サーバは、
前記サーバ受信部が受信した前記状態情報を記憶する記憶部
を備え、
前記サーバ送信部は、ネットワークを介して自身に接続された端末装置からの要求に基づいて、前記記憶部に記憶された前記状態情報を読み出し、前記端末装置に送信する
ことを特徴とする請求項１または請求項２のいずれか１項に記載の安否確認システム。
【請求項４】
前記監視サーバは、
前記状態情報に基づいて、前記状態情報が一定時間変化していないと判定した際に、定期的に送信する前記取得指示メッセージの送信間隔を変更する送信間隔変更部
を備えたことを特徴とする請求項１から請求項３のいずれか１項に記載の安否確認システム。
【発明の詳細な説明】
【技術分野】
【０００１】
本発明は、安否確認システムに関する。
【背景技術】
【０００２】
従来、ビル全体やビルのフロアのセキュリティーを確保する監視システムとして、ドアの開閉が発生した場合、ドアに設置した装置にてドアの開閉を検知し、監視センタなどにドアの開閉が発生したことを通知し、入退出や施錠漏れを一元的に監視する監視システムが知られている（例えば、特許文献１参照）。
【先行技術文献】
【特許文献】
【０００３】
【特許文献１】特開２００５−７１０６４号公報
【発明の概要】
【発明が解決しようとする課題】
【０００４】
しかしながら、従来知られている監視システムでは、ドアに設置した装置は、ドアの開閉をトリガに状態変化の検知を行い、状態変化を検知した場合のみ監視センタに通知を行っている。そのため、ドアの状態が変化していない場合は、監視センタでは何の通知も得られないという問題があった。
【０００５】
例えば、ドアの開閉、すなわちドアの利用状態を監視し、ドアを利用する人の安否確認を行う場合、ドアの開閉が行われなければドアに設置した装置から監視センタに情報が送信されないため、ドアの開閉が行われていない間は監視センタでは何の情報も得ることができないという問題があった。
【０００６】
本発明は、上記の事情を考慮してなされたものであり、安否確認の対象者が利用する設備の利用状態が変化していない場合でも、設備の利用状態を示す情報である状態情報を取得することができる安否確認システムを提供することを目的とする。
【課題を解決するための手段】
【０００７】
本発明は、安否確認の対象者が利用する設備の利用状態を示す情報である状態情報を取得する監視用端末と、前記監視用端末が取得した状態情報を管理する監視サーバとを備えた安否確認システムであって、前記監視サーバは、前記状態情報の取得を指示する取得指示メッセージを定期的に前記監視用端末に送信するサーバ送信部と、前記監視用端末から送信される前記状態情報を受信するサーバ受信部と、を備え、前記監視用端末は、前記監視サーバから送信される前記取得指示メッセージを受信する端末受信部と、前記端末受信部が前記取得指示メッセージを受信すると前記状態情報を取得するセンサ部と、前記センサ部が取得した前記状態情報を前記監視サーバに送信する端末送信部と、を備えたことを特徴とする安否確認システムである。
【０００８】
この構成により、監視サーバのサーバ送信部は、状態情報の取得を指示する取得指示メッセージを定期的に監視用端末に送信する。監視サーバのサーバ受信部は、監視用端末から送信される状態情報を受信する。監視用端末の端末受信部は、監視サーバから送信される取得指示メッセージを受信する。監視用端末のセンサ部は、端末受信部が取得指示メッセージを受信すると状態情報を取得する。監視用端末の端末送信部は、センサ部が取得した状態情報を監視サーバに送信する。
【０００９】
よって、安否確認の対象者が利用する設備の利用状態が変化していない場合でも、監視サーバは、設備の利用状態を示す情報である状態情報を取得することができる。
【００１０】
また、本発明の安否確認システムにおいて、前記監視サーバは、前記状態情報に基づいて、前記状態情報が一定期間変化していないと判定した際に、予め定められた連絡先にメッセージを送信するメッセージ送信制御部を備えたことを特徴とする。
【００１１】
この構成により、監視サーバのメッセージ送信制御部は、状態情報に基づいて、状態情報が一定期間変化していないと判定した際に、予め定められた連絡先にメッセージを送信する。よって、メッセージにより安否確認の対象者の状態を確認することができる。
【００１２】
また、本発明の安否確認システムにおいて、前記監視サーバは、前記サーバ受信部が受信した前記状態情報を記憶する記憶部を備え、前記サーバ送信部は、ネットワークを介して自身に接続された端末装置からの要求に基づいて、前記記憶部に記憶された前記状態情報を読み出し、前記端末装置に送信することを特徴とする。
【００１３】
この構成により、監視サーバの記憶部は、サーバ受信部が受信した状態情報を記憶する。監視サーバのサーバ送信部は、ネットワークを介して自身に接続された端末装置からの要求に基づいて、記憶部に記憶された状態情報を読み出し、端末装置に送信する。よって、ユーザは、ネットワークを介して安否確認の対象者が利用する設備の利用状態を閲覧することができる。
【００１４】
また、本発明の安否確認システムにおいて、前記監視サーバは、前記状態情報に基づいて、前記状態情報が一定時間変化していないと判定した際に、定期的に送信する前記取得指示メッセージの送信間隔を変更する送信間隔変更部を備えたことを特徴とする。
【００１５】
この構成により、監視サーバの送信間隔変更部は、状態情報に基づいて、状態情報が一定時間変化していないと判定した際に、定期的に送信する取得指示メッセージの送信間隔を変更する。よって、安否確認の対象者が利用する設備の状態情報の変化が少ない場合には、取得指示メッセージの送信を少なくすることができる。
【発明の効果】
【００１６】
本発明によれば、安否確認の対象者が利用する設備の利用状態が変化していない場合でも、設備の利用状態を示す情報である状態情報を取得することができる。
【図面の簡単な説明】
【００１７】
【図１】本発明の一実施形態における安否確認システムの構成を示したシステム構成図である。
【図２】本実施形態における安否確認システムのネットワーク構成を示したネットワーク構成図である。
【図３】本実施形態における監視用端末の構成を示した機能ブロック図である。
【図４】本実施形態における監視サーバの構成を示した機能ブロック図である。
【図５】本実施形態における監視用端末の主となる動作の手順を示したフローチャートである。
【図６】本実施形態における監視用端末の監視動作の手順を示したフローチャートである。
【図７】本実施形態における監視用端末と監視サーバとの間のデータの流れを示したシーケンス図である。
【図８】本実施形態における監視サーバが連絡先にメールを送信する際の動作の手順を示したフローチャートである。
【発明を実施するための形態】
【００１８】
以下、図面を参照して本発明による安否確認システムの一実施形態について説明する。図１は、本実施形態における安否確認システムの構成を示したシステム構成図である。
【００１９】
図示する例では、契約ユーザ宅１には監視用端末１０が設置されており、契約ユーザ宅１のドア５−１〜５−３（安否確認の対象者が利用する設備）には監視用端末１０が備えるドア開閉センサ１０１−１〜１０１−３が設置されている。また、監視会社２には監視サーバ２０が設置されている。また、連絡先３として、携帯電話など、メールを受信することができる携帯端末３０が設定されている。
【００２０】
監視用端末１０は、ドア開閉センサ１０１−１〜１０１−３を介してドア５−１〜５−３の開閉状態の監視を行い、ドア５−１〜５−３の状態情報を取得し、取得した状態情報を監視サーバ２０に送信する。監視サーバ２０は、監視用端末１０から送信される状態情報に基づいて、契約ユーザ宅１のドア５−１〜５−３の状態情報を一元管理する。また、監視サーバ２０は、ユーザ宅１のドア５−１〜５−３の状態情報が予め登録された状態を満たした場合、予めメールアドレスが登録されている連絡先３に警報メールを送信する。連絡先３は、監視サーバ２０から送信される警報メールを受信する。
【００２１】
例えば、ドア５−１〜５−３の状態情報を監視し、一定時間状態が変化していない、すなわち、安否確認の対象者によってドア５−１〜５−３の開閉（利用）が行われていない場合、監視サーバ２０は連絡先３に警報メールを送信する。この警報メールを見ることで、安否確認の対象者の安否を確認することができる。
【００２２】
なお、安否確認の対象者とは、領域内において活動する人である。また、安否確認の対象者が利用する設備として、本実施形態ではドア５−１〜５−３を一例として説明するがこれに限らず、安否確認の対象者が活動する領域内に設置されているものであればよい。例えば、領域内の建物に設置されているもの（窓、ドア、ベッド、冷蔵庫、ポットなど）や、領域内の建物に供給されている電気、ガス、水道などがある。これらの設備に監視用端末１０が備えるセンサを設け、設備の利用状態を示す情報である状態情報を取得するようにしてもよい。
【００２３】
図２は、本実施形態における安否確認システムのネットワーク構成を示したネットワーク構成図である。図示する例では、監視サーバ２０は有線によりインターネット４０に通信可能な状態で接続している。また、監視用端末１０は無線ＬＡＮによりインターネット４０に通信可能な状態で接続している。これにより、監視用端末１０と監視サーバ２０とはインターネット４０を介して互いに通信を行うことができる。
【００２４】
図３は、本実施形態における監視用端末１０の構成を示した機能ブロック図である。監視用端末１０は、ドア開閉センサ１０１−１〜１０１−３（センサ部）と、無線ＬＡＮインターフェース１０２（端末送信部、端末受信部）と、ＰＣＩバス１０３と、ブリッジ１０４と、ＣＰＵ１０５（Ｃｅｎｔｒａｌ  Ｐｒｏｃｅｓｓｉｎｇ  Ｕｎｉｔ、中央演算処理装置）と、ＵＳＢ１０６（Ｕｎｉｖｅｒｓａｌ  Ｓｅｒｉａｌ  Ｂｕｓ、ユニバーサル・シリアル・バス）と、ＲＡＭ１０７（Ｒａｎｄｏｍ  Ａｃｃｅｓｓ  Ｍｅｍｏｒｙ、ランダムアクセスメモリ）と、ＳＳＤ１０８（Ｓｏｌｉｄ  Ｓｔａｔｅ  Ｄｒｉｖｅ、フラッシュメモリドライブ）と、Ｉ／Ｏバス１０９（Ｉｎｐｕｔ／Ｏｕｔｐｕｔバス、入出力バス）と、Ｉ／Ｏインターフェース１１０と、キーボード１１１と、マウス１１２と、ディスプレイ１１３と、ＡＣ電源部１１４（Ａｌｔｅｒｎａｔｉｎｇ  Ｃｕｒｒｅｎｔ電源部、交流電源部）とを備える。
【００２５】
ドア開閉センサ１０１−１〜１０１−３はドア５−１〜５−３の開閉を検出する。すなわち、ドア開閉センサ１０１−１〜１０１−３は、ドア５−１〜５−３の利用状態を検出する。無線ＬＡＮインターフェース１０２は、無線ＬＡＮを用いてインターネット４０との通信を行うための仲介を行う。ＰＣＩバス１０３は、データの転送路である。
【００２６】
ブリッジ１０４は、ＰＣＩバス１０３とＩ／Ｏバス１０９へのデータ転送の中継を行う。ＣＰＵ１０５は、監視用端末１０の制御を行う。ＵＳＢ１０６は、ＵＳＢ規格に対応した他の装置との接続の仲介を行う。ＲＡＭ１０７は、監視用端末１０が用いる情報を一時的に記憶する。ＳＳＤ１０８は、監視用端末１０の動作を定めた計測ＡＰ１０８１（計測Ａｐｐｌｉｃａｔｉｏｎ  Ｐｒｏｇｒａｍ、計測アプリケーションプログラム）と、ＯＳ１０８２（Ｏｐｅｒａｔｉｎｇ  Ｓｙｓｔｅｍ、オペレーティングシステム）とを記憶する。
【００２７】
Ｉ／Ｏバス１０９は、データの転送路である。Ｉ／Ｏインターフェース１１０は、各種入出力を行う装置と、Ｉ／Ｏバス１０９との接続の仲介を行う。キーボード１１１とマウス１１２とは、操作者による入力を受け付ける。ディスプレイ１１３は、情報を表示する。ＡＣ電源部１１４は、電力を外部から取得して監視用端末１０の各部に供給する。
【００２８】
なお、ＰＣＩバス１０３とブリッジ１０４とは情報の入出力が可能な状態で接続している。また、Ｉ／Ｏバス１０９とブリッジ１０４とは情報の入出力が可能な状態で接続している。また、Ｉ／Ｏバス１０９とＩ／Ｏインターフェース１１０とは情報の入出力が可能な状態で接続している。
【００２９】
また、ドア開閉センサ１０１−１〜１０１−３と無線ＬＡＮインターフェース１０２とは、情報の入出力が可能な状態でＰＣＩバス１０３に接続している。ＣＰＵ１０５と、ＵＳＢ１０６と、ＲＡＭ１０７と、ＳＳＤ１０８とは、情報の入出力が可能な状態でブリッジ１０４に接続している。キーボード１１１と、マウス１１２と、ディスプレイ１１３と、ＡＣ電源部１１４とは、情報の入出力が可能な状態でＩ／Ｏインターフェース１１０と接続している。
【００３０】
図４は、本実施形態における監視サーバ２０の構成を示した機能ブロック図である。監視サーバ２０は、ネットワークインターフェース２０２（サーバ送信部、サーバ受信部）と、ＰＣＩバス２０３と、ブリッジ２０４と、ＣＰＵ２０５と、ＵＳＢ２０６と、ＲＡＭ２０７と、ＨＤＤ２０８（Ｈａｒｄ  Ｄｉｓｋ  Ｄｒｉｖｅ、ハードディスクドライブ）と、Ｉ／Ｏバス２０９と、Ｉ／Ｏインターフェース２１０と、キーボード２１１と、マウス２１２と、ディスプレイ２１３と、ＤＣ電源部２１４（Ｄｉｒｅｃｔ  Ｃｕｒｒｅｎｔ電源部、直流電源部）とを備える。
【００３１】
ネットワークインターフェース２０２は、有線ＬＡＮを用いてインターネット４０との通信を行うための仲介を行う。ＰＣＩバス２０３は、データの転送路である。
【００３２】
ブリッジ２０４は、ＰＣＩバス２０３とＩ／Ｏバス２０９へのデータ転送の中継を行う。ＣＰＵ２０５は、監視サーバ２０の制御を行う。ＵＳＢ２０６は、ＵＳＢ規格に対応した他の装置との接続の仲介を行う。ＲＡＭ２０７は、監視サーバ２０が用いる情報を一時的に記憶する。ＨＤＤ２０８は、監視サーバ２０の動作を定めた監視ＡＰ２０８１（監視Ａｐｐｌｉｃａｔｉｏｎ  Ｐｒｏｇｒａｍ、監視アプリケーションプログラム）と、ミドルウェア２０８２と、ＯＳ２０８３とを記憶する。
【００３３】
Ｉ／Ｏバス２０９は、データの転送路である。Ｉ／Ｏインターフェース２１０は、各種入出力を行う装置と、Ｉ／Ｏバス２０９との接続の仲介を行う。キーボード２１１とマウス２１２とは、操作者による入力を受け付ける。ディスプレイ２１３は、情報を表示する。ＤＣ電源部２１４は、電力を外部から取得して監視サーバ２０の各部に供給する。
【００３４】
なお、ＰＣＩバス２０３とブリッジ２０４とは情報の入出力が可能な状態で接続している。また、Ｉ／Ｏバス２０９とブリッジ２０４とは情報の入出力が可能な状態で接続している。また、Ｉ／Ｏバス２０９とＩ／Ｏインターフェース２１０とは情報の入出力が可能な状態で接続している。
【００３５】
また、ネットワークインターフェース２０２は、情報の入出力が可能な状態でＰＣＩバス２０３に接続している。ＣＰＵ２０５と、ＵＳＢ２０６と、ＲＡＭ２０７と、ＨＤＤ２０８とは、情報の入出力が可能な状態でブリッジ２０４に接続している。キーボード２１１と、マウス２１２と、ディスプレイ２１３と、ＤＣ電源部２１４とは、情報の入出力が可能な状態でＩ／Ｏインターフェース２１０と接続している。
【００３６】
次に、図５を参照して、監視用端末１０の主となる動作について説明する。図５は、本実施形態における監視用端末１０の主となる動作の手順を示したフローチャート（メインフロー）である。
【００３７】
（ステップＳ１０１）監視用端末１０のＣＰＵ１０５は、ドア５−１〜５−３の監視を行う前に、監視用端末１０が備える各部の初期化を行い、ＳＳＤ１０８が記憶する計測ＡＰ１０８１を読み出して実行する。以下のステップＳ１０２〜ステップＳ１０７におけるＣＰＵ１０５の動作は計測ＡＰ１０８１に基づいた動作である。その後、ステップＳ１０２の処理に進む。
【００３８】
（ステップＳ１０２）ＣＰＵ１０５は、ドア開閉センサ１０１−１〜１０１−３を介してドア５−１〜５−３の状態情報を取得する。その後、ステップＳ１０３の処理に進む。なお、このときＣＰＵ１０５が取得する状態情報は、ドアの開閉状態を示す情報と、情報を取得した時刻と、開閉センサＩＤとである。開閉センサＩＤは、ドア開閉センサ１０１−１〜１０１−３を一意に特定することができるＩＤである。本実施形態では、ドア開閉センサ１０１−１の開閉センサＩＤは１０１１である。また、ドア開閉センサ１０１−２の開閉センサＩＤは１０１２である。また、ドア開閉センサ１０１−３の開閉センサＩＤは１０１３である。
【００３９】
（ステップＳ１０３）ＣＰＵ１０５は、監視タイマをスタートさせる。その後、ステップＳ１０４の処理に進む。これにより、ステップＳ１０２でドア５−１〜５−３の情報を取得してから経過した時間を把握することができる。
【００４０】
（ステップＳ１０４）ＣＰＵ１０５は、ステップＳ１０２で取得したドア５−１〜５−３の情報をＳＳＤ１０８に記憶させる。その後、ステップＳ１０５の処理に進む。
（ステップＳ１０５）ＣＰＵ１０５は、監視機能を開始させる。その後、ステップＳ１０６の処理に進む。
（ステップＳ１０６）ＣＰＵ１０５は、監視を実施する。その後、監視を終了する場合はステップＳ１０７の処理に進む。監視の詳細については後述する。
（ステップＳ１０７）ＣＰＵ１０５は、監視機能を停止させ、処理を終了する。
【００４１】
次に、図６を参照して、監視用端末１０の監視動作について説明する。図６は、本実施形態における監視用端末１０の監視動作の手順を示したフローチャート（監視フロー）である。このフローチャートは、図５のステップＳ１０６の動作の詳細を示したフローチャートである。
【００４２】
（ステップＳ１０６１）ＣＰＵ１０５は、ドア５−１〜５−３の監視を開始する。その後、ステップＳ１０６２の処理に進む。
【００４３】
（ステップＳ１０６２）ＣＰＵ１０５は、ドア開閉センサ１０１−１〜１０１−３を介してドア５−１〜５−３が開閉されたことを検知した場合、または、監視サーバ２０から無線端末局ＬＡＮインターフェース１０２を介してドア５−１〜５−３の状態情報の取得指示メッセージを受信した場合、ステップＳ１０６３の処理に進む。このとき、ＣＰＵ１０５は、開閉されたドア５−１〜５−３に設置されているドア開閉センサ１０１−１〜１０１−３の開閉センサＩＤ、または監視サーバ２０から状態情報の取得を指示されたドア５−１〜５−３に設置されている開閉センサＩＤを取得する。
【００４４】
（ステップＳ１０６３）ＣＰＵ１０５は、ステップＳ１０６２で取得した開閉センサＩＤで特定されるドア開閉センサ１０１−１〜１０１−３を介してドア５−１〜５−３の状態を取得する。その後、ステップＳ１０６４の処理に進む。なお、このときＣＰＵ１０５が取得する情報は、ドアの開閉状態を示す情報と、情報を取得した時刻とである。
【００４５】
（ステップＳ１０６４）ＣＰＵ１０５は、ステップＳ１０６３で取得したドア５−１〜５−３の情報と、情報を取得したドアに設置されているドア開閉センサ１０１−１〜１０１−３の開閉センサＩＤとをＳＳＤ１０８に記憶させる。その後、ステップＳ１０６５の処理に進む。
【００４６】
（ステップＳ１０６５）ＣＰＵ１０５は、ステップＳ１０６２でドア５−１〜５−３の情報を取得する契機となったトリガの種別をステップＳ１０６４でＳＳＤ１０８に記憶させた情報に追記する。その後、ステップＳ１０６６の処理に進む。なお、このときＣＰＵ１０５がＳＳＤ１０８に追記するトリガは、ドア５−１〜５−３の開閉が契機となった場合は「ドア開閉契機」であり、サーバ２０からドア５−１〜５−３の状態情報の取得指示メッセージを受信した場合は「サーバ要求契機」である。
【００４７】
（ステップＳ１０６６）ＣＰＵ１０５は、ＳＳＤ１０８に記憶させたドア５−１〜５−３の状態情報を監視サーバ２０に送信するためのアプリケーションを起動させる。その後、ステップＳ１０６７の処理に進む。
【００４８】
（ステップＳ１０６７）ＣＰＵ１０５は、ＳＳＤ１０８に記憶させたドア５−１〜５−３の状態情報と、監視用端末１０のＩＤとを監視サーバ２０に送信する。その後、ステップＳ１０６８の処理に進む。なお監視用端末１０のＩＤは、監視用端末１０を一意に特定することができるＩＤである。
【００４９】
（ステップＳ１０６８）ＣＰＵ１０５は、ステップＳ１０６６で起動させたドア５−１〜５−３の状態情報を監視サーバ２０に送信するためのアプリケーションを停止させ、送信処理を終了する。その後、ステップＳ１０６１の処理に戻る。
【００５０】
監視用端末１０のＣＰＵ１０５は、ドア５−１〜５−３の監視を終了するまでステップＳ１０６１〜ステップＳ１０６８の処理を実行する。また、監視用端末１０のＣＰＵ１０５は、ドア５−１〜５−３の監視を終了する場合、図５に示したフローチャートのステップＳ１０７の処理に進む。
【００５１】
これにより、監視用端末１０は、ドア５−１〜５−３の開閉が行われた場合と、監視サーバ２０からドア５−１〜５−３の状態情報の取得指示メッセージを受信した場合とにおいて、ドア５−１〜５−３の状態情報を監視サーバ２０に送信することができる。
【００５２】
次に、監視サーバ２０が監視用端末１０にドア５−１〜５−３の状態情報の取得指示メッセージを送信する際の動作について説明する。本実施形態では、監視サーバ２０が定期的に取得指示メッセージを送信する間隔（周期）を定期取得周期Ｘとする。監視サーバ２０は、定期取得周期Ｘ毎に、監視用端末１０にドア５−１〜５−３の状態情報の取得指示メッセージを送信する。なお、定期取得周期Ｘはユーザが任意に変更することができる値である。
【００５３】
また、定期取得周期Ｘを自動的に変更することも可能である。以下、ドアの開閉状態が一定回数同じ状態が続いた場合、定期取得周期Ｘを一定倍に自動的に変更する例について説明する。
【００５４】
監視用端末１０から送信されるドア５−１の状態情報に含まれるドアの開閉状態が、継続して同じ状態である回数を「パラメータＹ」とする。また、定期取得周期Ｘを一定倍とする倍率を「パラメータＺ」とする。例えば、定期取得周期Ｘを「５分」に設定し、ドアの開閉状態が継続して３回同じ状態である場合、定期取得周期Ｘを２倍にすると設定する場合、定期取得周期Ｘ＝５とし、パラメータＹ＝３とし、パラメータＺ＝２と設定する。この場合、Ｘ×Ｙ＝５×３＝１５分後には、定期取得周期Ｘは、Ｘ×Ｚ＝５×２＝１０分に自動的に変更される。なお、定期取得周期Ｘの変更は、監視サーバ２０のＣＰＵ２０５（送信間隔変更部）が実行する。これにより、安否確認の対象者が利用する設備であるドア５−１の状態情報の変化が少ない場合には、取得指示メッセージの送信を少なくすることができる。
【００５５】
次に、監視用端末１０と監視サーバ２０との間のデータの流れについて図７を参照して説明する。図７は、本実施形態における監視用端末１０と監視サーバ２０との間のデータの流れを示したシーケンス図である。
【００５６】
ステップＳ２０１〜Ｓ２０３は、トリガが「ドア開閉契機」の場合のデータの流れを示している。また、ステップＳ２１０〜Ｓ２１６は、トリガが「サーバ要求契機」の場合のデータの流れを示している。
【００５７】
以下、トリガが「ドア開閉契機」の場合のデータの流れについて説明する。
（ステップＳ２０１）監視用端末１０のドア開閉センサ１０１−１〜１０１−３がドア５−１〜５−３の開閉を検知した場合、ドア開閉センサ１０１−１〜１０１−３はＣＰＵ１０５が実行する計測ＡＰに対して開閉通知を出力する。
【００５８】
（ステップＳ２０２）ＣＰＵ１０５が実行する計測ＡＰは、ドア５−１〜５−３の状態情報を取得する。続いて、ＣＰＵ１０５が実行する計測ＡＰは、無線ＬＡＮインターフェース１０２を介して、監視サーバ２０のネットワークインターフェース２０２にドア５−１〜５−３の状態情報を送信する。また、ＣＰＵ１０５が実行する計測ＡＰは、取得したドア５−１〜５−３の状態情報をＳＳＤ１０８に記憶させる。
【００５９】
（ステップＳ２０３）監視サーバ２０のネットワークインターフェース２０２は、ＣＰＵ２０５が実行する監視ＡＰに対してドア５−１〜５−３の状態情報を出力する。ＣＰＵ２０５が実行する監視ＡＰは、ドア５−１〜５−３の状態情報をＨＤＤ２０８に記憶させる。
【００６０】
上述したとおり、ドア５−１〜５−３の開閉が行われる度に、ステップＳ２０１〜Ｓ２０３のように、監視用端末１０から監視サーバ２０にドア５−１〜５−３の状態情報が送信される。
【００６１】
以下、トリガが「サーバ要求契機」の場合のデータの流れについて説明する。
（ステップＳ２１０）監視サーバ２０のＣＰＵ２０５が実行する監視ＡＰは、ネットワークインターフェース２０２に対してドア５−１〜５−３の状態情報の取得指示メッセージ（ヘルスチェック要求）を出力する。
【００６２】
（ステップＳ２１１）ネットワークインターフェース２２０は、監視用端末１０にヘルスチェック要求を送信する。監視用端末１０のＣＰＵ１０５が実行する計測ＡＰは、無線ＬＡＮインターフェース１１０を介して監視サーバ２０から送信されたヘルスチェック要求を取得する。
【００６３】
（ステップＳ２１２）ＣＰＵ１０５が実行する計測ＡＰは、ドア開閉センサ１０１−１〜１０１−３に対してヘルスチェック要求を出力する。
【００６４】
（ステップＳ２１３）ドア開閉センサ１０１−１〜１０１−３は、ドア５−１〜５−３の状態情報を取得し、取得したドア５−１〜５−３の状態情報をＣＰＵ１０５が実行する計測ＡＰに対して出力する。
【００６５】
（ステップＳ２１４）ＣＰＵ１０５が実行する計測ＡＰは、無線ＬＡＮインターフェース１０２を介して、監視サーバ２０のネットワークインターフェース２０２にドア５−１〜５−３の状態情報を送信する。
【００６６】
（ステップＳ２１５）監視サーバ２０のネットワークインターフェース２０２は、ＣＰＵ２０５が実行する監視ＡＰに対してドア５−１〜５−３の状態情報を出力する。
【００６７】
上述したとおり、サーバ２０から監視用端末１０に対してドア５−１〜５−３の状態情報の取得指示メッセージが送信される度に、ステップＳ２１０〜Ｓ２１５のように、監視用端末１０から監視サーバ２０にドア５−１〜５−３の状態情報が送信される。
【００６８】
次に、図８を参照して、監視サーバ２０が連絡先３に警報メールを送信する際の動作について説明する。図８は、本実施形態における監視サーバ２０が連絡先３に警報メールを送信する際の動作の手順を示したフローチャートである。この動作は、契約ユーザ宅１のドア５−１〜５−３毎に行う。以下、監視サーバ２０がドア５−１の管理を行う場合の例について説明する。管理サーバ２０は、ドア５−２〜５−３についてもドア５−１と同様に処理を行う。
【００６９】
（ステップＳ３０１）監視サーバ２０のＣＰＵ２０５（メッセージ送信制御部）は、ネットワークインターフェース２０２を介して、監視用端末１０から送信されるドア５−１の状態情報を取得する。その後、ステップＳ３０２の処理に進む。なお、このときＣＰＵ２０５が取得するドア５−１の状態情報は、監視用端末１０のＩＤと、開閉センサＩＤと、状態情報を取得した時刻と、ドア５−１の開閉状態を示す情報と、トリガ種別とである。
【００７０】
（ステップＳ３０２）ＣＰＵ２０５は、ステップＳ３０１で取得したドア５−１の状態情報をＨＤＤ２０８に記憶させる。その後、ステップＳ３０３の処理に進む。
（ステップＳ３０３）ＣＰＵ２０５は、ステップＳ３０１で取得したドア５−１の状態情報に含まれるトリガ種別が「ドア開閉契機」であるか、「サーバ要求契機」であるかを判別する。ＣＰＵ２０５が「ドア開閉契機」であると判別した場合はステップＳ３０５の処理に進み、「サーバ要求契機」であると判別した場合はステップＳ３０４の処理に進む。
【００７１】
（ステップＳ３０４）ＣＰＵ２０５は、ステップＳ３０１で取得したドア５−１の状態情報に含まれるドア５−１の開閉状態を示す情報と、前回取得したドア５−１の状態情報に含まれるドア５−１の開閉状態を示す情報とを比較し、前回状態情報を取得した時とステップＳ３０１で状態情報を取得した時とでドア５−１の開閉状態が変化したか否かを判定する。ＣＰＵ２０５がドア５−１の開閉状態が変化したと判定した場合はステップＳ３０５の処理に進み、ドア５−１の開閉状態が変化していないと判定した場合はステップＳ３０６の処理に進む。
【００７２】
（ステップＳ３０５）ＣＰＵ２０５は、ステップＳ３０２でＨＤＤ２０８に記憶させたドア５−１の状態情報に新規フラグをセットし、ＨＤＤ２０８が累計時間を記憶している場合、累計時間をリセットする。その後、ステップＳ３１１の処理に進む。
【００７３】
（ステップＳ３０６）ＣＰＵ２０５は、ドア５−１の状態が変化していない時間である状態継続時間を算出し、算出した時間を累計時間としてＨＤＤ２０８に記憶させる。その後、ステップＳ３０７の処理に進む。
【００７４】
具体的には、ＣＰＵ２０５は、ＨＤＤ２０８が累計時間を記憶している場合、ＨＤＤ２０８から累計時間を読み出す。この読み出した累計時間を前回累計時間とする。続いて、ＣＰＵ２０５は、ステップＳ３０１で取得したドア５−１の状態情報に含まれる取得時間と、前回取得したドア５−１の状態情報に含まれる取得時間とから、前回ドア５−１の状態情報を取得してからステップＳ３０１でドア５−１の状態情報を取得するまでの時間である今回経過時間（取得周期）を算出する。続いて、ＣＰＵ２０５は、前回累計時間と今回経過時間とを加算し、状態継続時間を算出する。
【００７５】
（ステップＳ３０７）ＣＰＵ２０５は、ステップＳ３０６で算出した状態継続時間と、予め定められた閾値とを比較し、状態継続時間が閾値の範囲内であるか否かを判定する。ＣＰＵ２０５が、状態継続時間が閾値の範囲内であると判定した場合はステップＳ３１１の処理に進み、それ以外の場合はステップＳ３０８の処理に進む。すなわち、ドアの開閉が行われていない時間が閾値を超えた場合、ステップＳ３１１の処理に進む。なお、この閾値はユーザが任意に設定することができる値である。
【００７６】
（ステップＳ３０８）ＣＰＵ２０５は、連絡先３に警報メールを送信するためのアプリケーションを起動する。その後、ステップＳ３０９の処理に進む。
（ステップＳ３０９）ＣＰＵ２０５は、一定時間（閾値の時間）以上ドアの開閉が行われていないことを伝える警報メールを生成し、予め登録されている連絡先３のメールアドレスを取得する。その後、ステップＳ３１０の処理に進む。
【００７７】
（ステップＳ３１０）ＣＰＵ２０５は、ステップＳ３０９で取得した連絡先３のメールアドレスに、ステップＳ３０９で生成した警報メールを送信する。その後、ステップＳ３１１の処理に進む。
【００７８】
（ステップＳ３１１）ＣＰＵ２０５は、監視用端末１０から送信されるドア５−１の状態情報を受信するまで待機する。ドア５−１の状態情報を受信した場合、ステップＳ３０１の処理に戻る。
【００７９】
ステップＳ３０１〜ステップＳ３１１の処理により、監視サーバ２０は、一定時間の間開閉が行われていないドアを検知することができ、さらに、検知した結果を連絡先３にメールにて送信することができる。
【００８０】
なお、連絡先３として、メールを受信することができる携帯端末３０のほかに、Ｗｅｂブラウザを用いて情報を取得することができるパーソナルコンピュータ（端末装置）を用いるようにしてもよい。そして、パーソナルコンピュータがネットワークを介して監視サーバ２０にドア５−１〜５−３の状態情報の取得要求メッセージを送信した場合、監視サーバ２０のネットワークインターフェース２０２は、ＣＰＵ２０５の制御によりＨＤＤ２０８から読み出されたドア５−１〜５−３の状態情報をパーソナルコンピュータに送信する。この構成により、ユーザはパーソナルコンピュータを用いてドア５−１〜５−３の状態情報を閲覧することができる。
【００８１】
上述したとおり、本実施形態によれば、監視サーバ２０は定期的にドア５−１〜５−３の状態情報の取得指示メッセージを監視用端末１０に送信する。これにより、ドア５−１〜５−３の開閉が行われていない場合、すなわちドア５−１〜５−３が安否確認の対象者により利用されていない場合においても、監視サーバ２０はドア５−１〜５−３の状態情報を取得することができる。
【００８２】
また、監視サーバ２０は、ドア５−１〜５−３の開閉状態が一定時間同じ状態である場合、予め登録された連絡先３にメールを送信する。例えば、一般ユーザ宅（特に老人宅）において、最も頻繁に開閉するドア（トイレのドア等）にドア開閉センサ１０１−１〜１０１−３を設置し、ドアの開閉が一定時間以上実施されなかった場合に予め連絡先３として登録されている家族などの携帯端末３０に警報メールを送信することができる。これにより、安否確認の対象者の家族などは、ユーザ宅から離れた場所で、安否確認の対象者の状態を確認することができる。
【００８３】
また、血圧、体重、体脂肪などの健康関連情報を計測することができる外部オプション装置と、契約ユーザ宅１に設置されている監視用端末１０の通信機能とを利用し、健康関連情報を監視サーバ２０に送信し、監視サーバ２０では、送信された健康関連情報を解析して日々の健康チェックやアドバイスを契約ユーザに送信することもできる。
【００８４】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００８５】
１・・・契約ユーザ宅、２・・・監視会社、３・・・連絡先、５−１〜５−３・・・ドア、１０・・・監視用端末、２０・・・監視サーバ、３０・・・携帯端末、４０・・・インターネット、１０１−１〜１０１−３・・・ドア開閉センサ、１０２・・・無線ＬＡＮインターフェース、１０３，２０３・・・ＰＣＩバス、１０４，２０４・・・ブリッジ、１０５，２０５・・・ＣＰＵ、１０６，２０６・・・ＵＳＢ、１０７，２０７・・・ＲＡＭ、１０８・・・ＳＳＤ、１０９，２０９・・・Ｉ／Ｏバス、１１０，２１０・・・Ｉ／Ｏインターフェース、１１１，２１１・・・キーボード、１１２，２１２・・・マウス、１１３，２１３・・・ディスプレイ、１１４，２１４・・・ＡＣ電源部、２０２・・・ネットワークインターフェース、２０８・・・ＨＤＤ
【図１】
2011014096.tif 000003
【図２】
2011014096.tif 000004
【図３】
2011014096.tif 000005
【図４】
2011014096.tif 000006
【図５】
2011014096.tif 000007
【図６】
2011014096.tif 000008
【図７】
2011014096.tif 000009
【図８】
2011014096.tif 000010